(57)【特許請求の範囲】
【請求項１】
前後両端に開口する端子収容室を設けたコネクタハウジングの中間部に、該端子収容室に挿着される端子の軸方向と直交して端子収容部および端子係止部を有する端子係止具を装着し、
前記端子係止具を、前記端子収容部が端子収容室と連通しかつ前記端子係止部が端子収容室から外れて端子の挿抜を可能とする待機位置と、端子係止部が端子収容室内に移動して端子と係合する係止位置との間で移動させるようにしたコネクタにおいて、
前記端子係止具の側面にカムピンを設けると共に、該カムピンと係合する傾斜したスライド面を有するカム棒を備えた検知部材を前記コネクタハウジングの後端側から抜き差し可能に装着し、
前記カムピンとスライド面とが係合した状態において、前記端子係止具の前記待機位置から係止位置への短い移動を、前記検知部材の端子軸と平行な長い移動により行わせる構造としたコネクタであって、
前記検知部材が前記コネクタハウジングの後端部を構成するリアハウジングとして形成され、該リアハウジングに前記カム棒が設けられていることを特徴とするコネクタ。
【請求項２】
前記コネクタハウジングと前記検知部材に前記端子係止具を前記待機位置に保持する仮ロック手段と、前記係止位置に保持する本ロック手段を設けて成る請求項１記載のコネクタ。
【請求項３】
前記検知部材のカム棒の先端に挿入検知片を設け、前記コネクタハウジングの前壁に挿入検知孔を設け、検知部材の前記本ロック位置において前記挿入検知片の先端部が前記挿入検知孔に進入し、外部から視認しうる構造である請求項１または２記載のコネクタ。
【請求項４】
前記コネクタハウジングが、端子収容室を有するハウジング本体と、該端子収容室と連通する端子収容部を有して該ハウジング本体の前部に着脱可能に装着されるフロントホルダとから構成され、
前記端子係止具は前記ハウジング本体とフロントホルダとの間に移動可能に介装され、かつ前記ハウジング本体にはその後端側から前記カム棒を抜き差しする貫通孔が設けられている請求項１，２または３記載のコネクタ。
【請求項５】
前記コネクタハウジングが、前部に端子収容室を有し後半部に空室を形成したハウジング本体と、該空室に収容される端子係止具およびリヤホルダとから形成され、該端子係止具およびリヤホルダにはそれぞれ前記ハウジング本体の端子収容室と連通する端子収容部が形成されると共に、前記検知部材のカム棒が前記空室の側壁とリヤホルダ間の間隙から抜き差しされる請求項１，２または３記載のコネクタ。
【請求項６】
前記端子係止具には、前記端子収容部を挟んで前記端子係止部とは反対側に端子と係合して第１の係止を行う可撓性係止腕が設けられている請求項４に記載のコネクタ。
【請求項７】
前記カム棒に、前記カムピンと接触して端子係止具を端子の軸方向と直交する方向に移動させる傾斜したスライド面を有するカム溝が設けられている請求項１ないし６のいずれかに記載のコネクタ。
【請求項８】
前記カム溝の先端が前記カムピンに対する幅広の導入部として形成されている請求項７記載のコネクタ。
【請求項９】
前記リアハウジングのコネクタハウジングとの係止手段を前記端子係止具のロックと兼用させるようにした請求項１ないし８のいずれかに記載のコネクタ。
【発明の詳細な説明】
【０００１】
【発明の属する技術分野】
本発明は、端子収容室内の端子を係止するための端子係止具を備えたコネクタの改良に関する。
【０００２】
【従来の技術】
コネクタにおける端子の固定は、一般に端子に切起し片を一体に設けて、コネクタハウジング内の端子収容室の底壁に係合させて固定するか、収容室の天壁から一体に形成した可撓性係止腕を端子の電気接触部の肩部または孔に係合させて固定していた。
しかし、切起し片や係止腕は小さく、雌雄コネクタの着脱の繰返し等によって損傷しやすく、端子が抜け出したり、接触不良を起す等の欠点があった。
【０００３】
そこで、特公平４−２３３９１号公報に開示されているように、ハウジングの外周壁中間部に各端子収容室と連通する貫通孔を設け、この貫通孔から端子の軸方向と直交し、かつ端子の一側に位置するように端子係止具を差込んで、該端子係止具の板状の突起の側面を端子に係合させて、端子と収容室間の上記固定手段と併せて二重に係止するようにしたものがある。
【０００４】
図１５は従来の二重係止コネクタの一例を示したものであり、（Ａ）は係止前の断面図、（Ｂ）は係止後の断面図である。
図１５において、５０はコネクタハウジング、５１は端子収容室である。また、５２は端子収容室５１に一体に設けた可撓性係止腕であり、図示しない端子の電気接触部の後端の肩部に係合して端子を係止する。
【０００５】
端子係止具５３は、ハウジング５０の外周壁から各端子収容室５１に連通して設けた貫通孔５５内を端子の軸方向と直交する方向に移動し、端子係止具５３に設けた突起５４が図示しない端子の係止溝と係合して係止する構造である。
即ち、図１５（Ａ）において、端子係止具５３は下方に位置し、従って係止突起５４も下方に位置し、端子収容室５１内に端子を挿入することができる。
【０００６】
端子を端子収容室５１に挿入すると、可撓性係止腕５２が端子の前記肩部に係合して第１の係止が行われる。次いで、端子係止具５３を押し上げると、図１５（Ｂ）に示すように、係止突起５４も上方に移動して、端子の係止部と係合して第２の係止が行われる。
【０００７】
【発明が解決しようとする課題】
上記のように、従来の二重係止コネクタの第２の係止は端子係止具５３を端子の軸方向と直交して移動させることによりその係止突起５４も移動して、端子の係止部と係合するようになっていた。
従って、端子係止具５３の移動距離（ストローク）は、ハウジング５０に設けられた上下に隣合う端子収容室５１，５１間の距離以下であって非常に短かい。
【０００８】
一方、端子の第２の係止が行われているか否かの判断は、端子係止具５３がハウジング５０より突出しているか否かを目視により行っているが、上記のように突出している長さは非常に小さいから、一見して判断し難く、第２の係止手段の係止忘れが発生するおそれがあった。
本発明は、端子係止具による端子の係止状態の良否を外部から容易に判断できるようにしたコネクタを提供することを課題とする。
【０００９】
【課題を解決するための手段】
前記の課題を達成するため、本発明は請求項１に記載のように、前後両端に開口する端子収容室を設けたコネクタハウジングの中間部に、該端子収容室に挿着される端子の軸方向と直交して端子収容部および端子係止部を有する端子係止具を装着し、前記端子係止具を、前記端子収容部が端子収容室と連通しかつ前記端子係止部が端子収容室から外れて端子の挿抜を可能とする待機位置と、端子係止部が端子収容室内に移動して端子と係合する係止位置との間で移動させるようにしたコネクタにおいて、前記端子係止具の側面にカムピンを設けると共に、該カムピンと係合する傾斜したスライド面を有するカム棒を備えた検知部材を前記コネクタハウジングの後端側から抜き差し可能に装着し、前記カムピンとスライド面とが係合した状態において、前記端子係止具の前記待機位置から係止位置への短い移動を、前記検知部材の端子軸と平行な長い移動により行わせる構造としたコネクタであって、前記検知部材が前記コネクタハウジングの後端部を構成するリアハウジングとして形成され、該リアハウジングに前記カム棒が設けられている構成を採用した。
【００１０】
上記構成によれば、端子係止具が待機位置から係止位置に移動して端子を係止するまでにカム棒を押込む距離（挿入ストローク）が大となる。従って、端子係止具による端子の係止状態の良否をストロークの大きな検知部材の差し込み具合で判断することができ、目視による確認が容易であり、係止不良や係止忘れを防止することができる。
さらに検知部材をコネクタハウジングの後端部を構成するリアハウジングとして形成し、該リアハウジングにカム棒を設けたので、カム棒がコネクタハウジングの後端部を構成するリアハウジングに設けられているから、コネクタハウジングの部品点数の増加を押さえ、組立て工数が減少する。
【００１１】
請求項２の発明は、前記コネクタハウジングと前記検知部材に前記端子係止具を前記待機位置に保持する仮ロック手段と、前記係止位置に保持する本ロック手段を設けたものであるから、検知部材をコネクタハウジングに取り付けたままで端子の挿入、抜き出しが可能であり、取扱が便利であり、端子挿着後は本ロック手段により端子抜けを確実に防止することができる。
また、請求項３の発明は、前記検知部材のカム棒の先端に挿入検知片を設け、前記コネクタハウジングの前壁に挿入検知孔を設け、検知部材の前記本ロック位置において前記挿入検知片の先端部が前記挿入検知孔に進入し、外部から視認しうる構造としたものである。従って、検知部材の装着の良否、即ち端子の係止状態の良否をコネクタハウジングの前後いずれからでも判断することができる。
【００１２】
請求項４の発明は、前記コネクタハウジングが、端子収容室を有するハウジング本体と、該端子収容室と連通する端子収容部を有して該ハウジング本体の前部に着脱可能に装着されるフロントホルダとから構成され、前記端子係止具は前記ハウジング本体とフロントホルダとの間に移動可能に介装され、かつ前記ハウジング本体にはその後端側から前記カム棒を抜き差しする貫通孔が設けられていることを特徴とする。
また、請求項５の発明は、前記コネクタハウジングが、前部に端子収容室を有し後半部に空室を形成したハウジング本体と、該空室に収容される端子係止具およびリヤホルダとから形成され、該端子係止具およびリヤホルダにはそれぞれ前記ハウジング本体の端子収容室と連通する端子収容部が形成されると共に、前記検知部材のカム棒が前記空室の側壁とリヤホルダ間の間隙から抜き差しされることを特徴とする。
請求項４，５の発明によれば、いずれもコネクタハウジングが、ハウジング本体とフロントホルダ、或いはハウジング本体，端子係止具とリヤホルダのように幾つかの部品に分割して形成されているから、コネクタハウジングの成形金型の構造が簡素化され、複雑な構造の端子収容室を有するコネクタハウジングの成形が容易となる。
【００１３】
前記端子係止具には、請求項６に記載のように、前記端子収容部を挟んで前記端子係止部とは反対側に端子と係合して第１の係止を行う可撓性係止腕が設けられているのが好ましい。このように、端子の第１の係止を行う可撓性係止腕を端子係止部に設けることにより、上記金型がより簡素化されると共に、寸法精度を高めることができる。
【００１４】
請求項７の発明は、前記カム棒に、前記カムピンと接触して端子係止具を端子の軸方向と直交する方向に移動させる傾斜したスライド面を有するカム溝を設けたものである。これにより、カムピン即ち端子係止具を上下いずれの方向にも移動させることができ、前記待機位置から係止位置への移動操作と共にその逆の操作が可能となる。
前記カム溝の先端は、請求項８に記載のように、前記カムピンに対する幅広の導入部として形成されていることが好ましい。カム溝の先端を溝幅より広くすることにより、カム棒を押込む前に端子係止具がどの位置にあっても、カム棒を少し押込むと端子係止具は常に待機位置となり、容易に端子を端子収容室に挿入することができる。
【００１５】
請求項９の発明は、前記リアハウジングのコネクタハウジングとの係止手段を前記端子係止具のロックと兼用させるようにしたものである。この場合には、リアハウジングの係止と同時にカム棒も係止されるので、コネクタの構成が簡単となる。
【００１６】
【発明の実施の形態】
本発明の実施の形態の一具体例を図１〜図３を参照して説明する。
図１は本発明に係る二重係止機構を備えたコネクタの分解斜視図、図２は図１の組立状態の中央縦断面図、図３は同じく端子係止具のカム棒部分の縦断面図であり、図２（Ａ），図３（Ａ）はそれぞれ係止前、図２（Ｂ），図３（Ｂ）はそれぞれ係止後を示し、また図４は図３（Ａ）のＸ−Ｘ断面図である。
図１において、コネクタＡは、防水フード２を備えたハウジング本体１、フロントホルダ３、端子係止具４、パッキング７、検知部材としてのスライダ８、雌端子１２、およびスペーサ１５などから構成されている。
スライダ８はカム溝１０を有する一対のカム棒９，９を備え、スペーサ１５は図示しない相手方コネクタのロッキングアームを固定するためのものである。また、雌端子１２は既知の構成であり、相手方ピン端子（図示せず）を受け入れる前方の筒状の電気接触部１２Ａと後方の電線接続部１２Ｂとを細首部１３を介して連設したものである。
【００１７】
図２，図４に示すように、合成樹脂絶縁体製のハウジング本体１の内部には、上下二段に複数の端子収容室１７が並設され、各室には雌端子１２に対する可撓性係止腕１８が底壁から一体に設けられると共に、その背壁から左右両側に前記カム棒９に対する貫通孔１９が設けられている。後述するように、この貫通孔１９にカム棒９を挿入すると、先端のカム溝１０が端子係止具４のカムピン５に接触するようになっている。
【００１８】
ハウジング本体１の外周壁の前半部には前述のように防水フード２が一体に膨出して形成されている。
この外周壁の前半部は、図２，図３に示すように、段差状に形成され、前方の低段部分１ａには前記パッキング７を介してフロントホルダ３が冠着される。低段部分１ａは左右の側壁１ｂ，１ｂを残して上下が開放され、各側壁１ｂの上下縁は四隅のリブ１ｃにより補強されると共に、上下のリブ１ｃと側壁１ｂとによりスライダ８のカム棒９に対する挿入ガイド溝が形成されている。また、各リブ１ｃの内面には係止突起１ｄが突設され、リブ１ｃの先端１ｃ1 は側壁１ｂの端面から僅かに突出している。
一方、ハウジング本体１の外周壁の後半部には、上側に前記防水フード２に連成した通路２ａに臨んでスペーサ受け１ｅが設けられ、また、下側に前記スライダ８に対する本係止突起１ｆ1 が、両側に仮係止突起１ｆ2 がそれぞれ設けられている。
【００１９】
フロントホルダ３は前壁３ａとその周壁３ｂとを備える。この前壁３ａから内部に向けて前記端子収容室１７に対応して筒状の端子収容部３ｃが設けられ、また、内部両側には前記貫通孔１９と連通してハウジング本体１の側壁１ｂの部分が挿入される通路（図示せず）が区画形成されて、該通路の片面に前記リブ１ｃの係止突起１ｄに係合する係止溝（図示せず）が凹設されると共に、前壁３ａの四隅にはリブ１ｃに対する位置決め嵌合孔３ｄが設けられている。さらに、前壁３ａの左右両側は上記通路と連通して挿入検知孔３ｅが設けられ、この挿入検知孔３ｅから前記カム棒９の後述する挿入検知片９ａを視認できるようになっている。
【００２０】
端子係止具４は一対のカムピン５と端子係止部としての複数の係止突起６とを備えている。
図５に示すように、端子係止具４は枠体４ａに端子収容室１７と対応して複数の格子４ｂを設け、枠体４ａの左右両側のフレームの外面に前記カムピン５を突設し、格子４ｂの左右両面および前記フレームの内面に各段の端子収容室１７に対応する係止突起６を設けて成り、格子４ｂは前記端子収容室１７の側壁の一部を構成する。
図２（Ａ）に示すように、端子係止具４により雌端子１２が係止されていない状態では、端子係止具４は最下位置にあり、上下の係止突起６，６間の空間と、係止突起６と枠体４ａの上部フレームとの空間がそれぞれ端子挿通路を形成し、端子収容室１７と連通して雌端子１２の挿抜が可能である。
【００２１】
スライダ８には、前述のように一対のカム棒９，９が端子軸と平行に前方に突出して設けられ、該カム棒９の前半部の内面側にはカム溝１０が形成され、さらにカム棒９の先端にはカム溝１０の下側から前方にのびる挿入検知片９ａが一体に突設されている。
カム溝１０は、図３に示すように、先端のラッパ状に開いた導入部１０ａ、これに続く前方の低段部１０ｂ、中間の傾斜部１０ｃおよび後方の高段部１０ｄとから成り、全体として後方ほど高くなる傾斜溝として形成されている。低段部１０ｂと高段部１０ｄとは端子軸と平行な段差Ｈを有する水平溝であり、両段部１０ｂ，１０ｄは傾斜部１０ｃを介して連結されている。この傾斜部１０ｃと前記カムピン５との係合により端子係止具４を端子軸と直交方向に昇降させる。
また、スライダ８の内部には、各端子収容室１７に対応して複数の電線挿通孔１１ａを設けた防水ゴム栓１１が嵌着され、外周両側および下側にはハウジング本体１に対する可撓性のロッキングアーム１６が設けられている。
【００２２】
次に、コネクタＡの組立について説明する。
先ず、ハウジング本体１の外周壁前半部の低段部分１ａにパッキング７を外挿した状態で、両側の側壁１ｂ，１ｂ間に端子係止具４を挿入してフロントホルダ３を被せる。すると、側壁１ｂがフロントホルダ３内の前記通路内に進入して、リブ１ｃの先端部１ｃ1 が位置決め嵌合孔３ｄに嵌合され、同時にリブ１ｃの係止突起１ｄが該通路内の前記係止溝に係合するから、フロントホルダ３はハウジング本体１にロックされる。
これにより、端子係止具４は、図２に見られるように、フロントホルダ３とハウジング本体１との間に介装されて、上下に移動可能に保持された状態となる。
【００２３】
一方、ハウジング本体１の後端部からスライダ８を装着する。即ち、カム棒９を前記貫通孔１９に合わせてスライダ８をハウジング本体１に向けて押し込む。
カム棒９が図３（Ａ）で示す位置まで挿入されると、両側のロッキングアーム１６の係止孔１６ａが仮係止突起１ｆ2 と係合して（図４参照）、スライダ８はハウジング本体１に仮ロックされる。同時に、端子係止具４が上下いずれの位置にあってもカムピン５がカム溝１０の先端のラッパ状に開いた導入部１０ａの溝壁によりスライドして最下の低段部１０ｂ即ち待機位置まで戻される。この待機位置では、前述したように、端子係止具４の係止突起６が端子収容室１７外に位置するから、雌端子１２を自由に挿入できる状態となる。
【００２４】
スライダ８の仮ロック状態または待機位置において、その防水ゴム栓１１の電線挿通孔１１ａから雌端子１２を通して端子収容室１７に挿入すると、可撓性係止腕１８の係止突起１８ａが雌端子１２の電気接触部１２Ａの後方肩部１４に係合して第１の係止（図２（Ｂ）参照）が行われる。
【００２５】
雌端子１２の第１の係止後、第２の係止を開始する。第２の係止はスライダ８即ちカム棒９を更に貫通孔１９内に押し込み、挿入して行う。
カム棒９の押し込みにより、端子係止具４のカムピン５はカム溝１０の低段部１０ｂを経て傾斜部１０ｃによりスライドして上昇し、カムピン５が後方の高段部１０ｄに達する。即ち、端子係止具４は待機位置から係止位置に移動し、その端子係止具４の係止突起６，６が図４に示すように雌端子１２の電気接触部１２Ａの後方肩部１４に両側から係合する位置となり（図４参照）、第２の係止が行われる。
カムピン５がカム溝１０の高段部１０ｄの入口に達した後、更にカム棒９を押し込むと、カムピン５は高段部１０ｄの終端に達して停止するが、同時に下側のロッキングアーム１６の係止孔１６ａが本係止突起１ｆ1 と係合するから、スライダ８はハウジング本体１に本ロックされる。
従って、スライダ８が本ロックとなれば、第２の係止も確実に行われていることになり、これは外部から即ちコネクタＢの背後から容易に判断することができる。さらに、図３（Ｂ）に示されるように、本ロック状態では、フロントホルダ３の前壁３ａの挿入検知孔３ｅにカム棒９の先端の挿入検知片９ａが入り、該挿入検知片９ａの端面９ｂと前壁３ａとが面一となるから、コネクタＢの前方側から本ロック状態を確認することができる。
【００２６】
以上の実施例では、カム棒９を実質的にコネクタハウジングの後端部分（リヤハウジング）を構成するスライダ８と一体に設けた例について説明したが、ハウジング本体１とリヤハウジング（スライダ８）との間，またはリヤハウジングの背後に別途に環状の検知部材を設け、カム棒９をこの環状検知部材に突出させるようにしてもよい。
このような検知部材により第２の係止が行われたか否かを検知させるようにしても、図３（Ｂ）に示すように、端子係止具４をＨだけ上方に移動させるためにはカム棒９を水平方向にＬだけ押込む必要があり、Ｈに比べてＬは非常に大きく、容易に検知することができる。
【００２７】
また、カム棒９にはカム溝１０を設けてカムピン５を上方に押上げるようにしていたが、カムピン５を上方に押上げるには必ずしも溝構造にする必要はなく、傾斜したスライド面としてもよい。
【００２８】
図６は本発明の第２の実施例を示す。図６のコネクタＢは、複数の端子収容室２５1 を上下二段に並設したハウジング本体２１、その後半部に収容される端子係止具２２とリヤホルダ２３、および検知部材としてのスライダ２４とから構成され、これらの構成部材２２〜２４にはそれぞれ上記端子収容室２５1 に対応する複数の端子収容部２５2 〜２５4 が並設され、これらは連通してそれぞれ一つの端子収容室２５を構成する。なお、端子収容室２５ごとに端子抜取り用の治具挿入孔２５′が設けられている。
【００２９】
ハウジング本体２１は、その内部前方に前記複数の端子収容室２５1 を有し、後方には図９に示すように空室２６が形成され、上記端子係止具２２とリヤホルダ２３を収容するようになっている。この空室２６の開口端側には、その上部側壁２６ａに複数（図示の例では３個）のロック用突起２７が、また左右両側壁２６ｂの下方に１個のロック用突起２７′が設けられ、各突起２７，２７′には挿入案内用のテーパ２７ａ，２７ａ′が形成されている。また、両側壁２６ｂの外面にはスライダ２４の後述する係止窓３９と係合する係止突起２８が設けられている。
【００３０】
端子係止具２２は、図７にも示されるように、前記複数の端子収容部２５2 と共に一対のカムピン２９を備え、さらに各端子収容部２５2 には前記雌端子１２に対する可撓性係止腕３０（図１４参照）と係止突起３１が設けられている。
即ち、端子係止具２２は枠体２２ａに複数の格子２２ｂを設けて前記複数の端子収容部２５2 を上下二段に区画形成し、枠体２２ａの左右両側のフレームの外面にカムピン２９を突設すると共に、該フレームの内面および格子２２ｂの左右両面に各段の端子収容部２５2 に対応する２次係止用の係止突起３１を設けてある。これは前記端子係止具４と同様の構成であるが、枠体２２ａは前記枠体４ａに比べて肉厚に形成されており、端子収容部２５2 を挟んで係止突起３１と反対側に上記可撓性係止腕３０を一体に設けてある。
【００３１】
端子係止具２２はスライダ２４の係止位置への押し込みにより矢線Ｐ方向に下降する。そして、図８に示すように、両側の係止突起３１が雌端子１２の電気接触部１２Ａの後端肩部１４に係合して雌端子１２の２次係止を行う。
【００３２】
リヤホルダ２３は前記複数の端子収容部２５3 を有する直方体として形成されている。リヤホルダ２３には、その前面２３ａの上端に複数の挿入案内用テーパ３２が形成されると共に、背面２３ｄの下端部にも同様のテーパ３２′（図１０参照）が形成されている。また、上面２３ｂの後端に複数のロック溝３３が、さらに、左右両側面２３ｃの下方には鉤型の固定ロック腕３４が設けられている。固定ロック腕３４は前端にテーパ３４ａを形成した水平なガイド突条３４ｂと後端の垂直な肩部３４ｃとから成り、肩部３４ｃの後端面はリヤホルダ２３の背面２３ｄから上記ロック溝３３の奥行と同じ寸法だけ凹んで形成されている。
【００３３】
スライダ２４は、前述の複数の端子収容部２５4 を開口した背壁３５とその周壁３６とによりカバー体として形成され、ハウジング本体２１の後端に冠着されるようになっている。背壁３５には前記スライダ８と同様にカム溝３８を有する一対のカム棒３７が突設され、周壁３６の左右両側に前記係止突起２８と係合する係止窓３９が開設されている。また、背壁３５の下方にはリヤホルダ２３に対する位置決め板４０が突設されており、該位置決め板の先端にはテーパ４０ａが形成されている。
なお、スライダ２４のカム溝３８は前記カム溝１０とは上下逆の構成であり、図１０に示すように、先端のラッパ状に開いた導入部３８ａに続き前方の高段部３８ｂ、中間の傾斜部３８ｃおよび後端の低段部３８ｄとから成り、全体として後方に向けて低くなる傾斜溝として形成されている。
【００３４】
次に、図９〜図１２を参照してコネクタＢの組立について説明する。
先ず、図９に示すように、ハウジング本体２１の後部の空室２６に端子係止具２２、リヤホルダ２３の順に収容する。空室２６の開口端側にはロック用の突起２７，２７′が位置しているが、そのテーパ２７ａ，２７ａ′がリヤホルダ２３の前面のテーパ３２，固定ロック腕３４のテーパ３４ａと摺接するから、収容は円滑に行われる。
【００３５】
次いで、図１０に示すように、ハウジング本体２１の後端側からスライダ２４を装着する。
即ち、空室２６において、その左右側壁２６ｂとリヤホルダ２３間の隙間にスライダ２４のカム棒３７を挿入すると、最下位置にある端子係止具２２のカムピン２９にカム溝３８の先端のラッパ状に開いた導入部３８ａの溝壁が衝合する。同時にスライダ２４の位置決め板４０の先端がリヤホルダ２３の背面２３ｄに達し、接触する。
【００３６】
さらにカム棒３７を挿入すると、カムピン２９は溝壁との摺接により上方にスライドして、図１１に示すように一旦高段部３８ｂまで持ち上げられ、端子係止具２２は最上の待機位置に達する。
端子係止具２２の上昇と同時に、リヤホルダ２３もテーパ３２′と４０ａとの摺接係合により位置決め板４０により拾い上げられ、端子係止具２２と同レベルとなる。これによりハウジング本体２１の端子収容室２５1 、端子係止具２２，リヤホルダ２３およびスライダ２４の各端子収容部２５2 ，２５3 および２５4 はそれぞれ同軸即ち横一直線に並んで連通し一つの端子収容室２５を構成するので、雌端子１２の挿抜が可能になる。即ち、図１３に示すように、端子係止具２２の可撓性係止腕３０は端子収容室２５に臨んでいるが、その係止部３１はそれから外れて位置する。
【００３７】
そこで、後端の端子収容部２５4 から雌端子１２を挿入すると、その電気接触部１２Ａが端子係止具２２における可撓性係止腕３０を押し上げ（または押し下げ）つつ進入し、完全に挿入すると、可撓性係止腕３０が弾性復帰してその係止突起３０ａが電気接触部１２Ａの後方肩部１４と接触して１次係止が行われる（図８参照）。
なお、雌端子１２の抜き取りが必要であれば、ハウジング本体２１の前記治具挿入孔２５′からドライバなどの治具を差し込み、係合を解除すればよい。
【００３８】
また、リヤホルダ２３の上昇により、その上面２３ｂのロック溝３３にはハウジング本体２１の一方の係止突起２７が係合し（図９参照）、他方の係止突起２７′は固定ロック腕３４の肩部３４ｃのストッパとなるから、スライダ２４は端子係止具２２，リヤホルダ２３と共にハウジング本体１に対して仮ロックされる。
【００３９】
雌端子１２の完全挿入、１次係止の後、さらに奥深くカム棒３７を挿入すると、カムピン２９はカム溝３８の傾斜部３８ｃにより下方にスライドし、図１２に示すように低段部３８ｄまで下降して、端子係止具２２は最下の係止位置に達する。
この端子係止具２２の下降により、図８および図１４に示すように、各端子収容部２５2 における両側の係止突起３１が雌端子１２の細首部１３において前記後方肩部１４に係合して、２次係止が行われる。
そして、カム棒３７を最奥まで挿入すると、水平な低段部３８ｄではカムピン２９の上下方向の移動はなく、スライダ２４の前記係止窓３９がハウジング本体２１の係止突起２８に係合して、スライダ２４はハウジング本体２１に本ロックされる。
【００４０】
以上、第２の実施例においても、第１の実施例と同様に、端子係止具２２をＨだけ下降させるためには、カム棒３７を水平方向にＬだけ押し込む必要があり、ＬはＨよりはるかに大きいから、容易に検知することができる。
また、カム棒３９の先端とハウジング本体２１の前壁には、第１の実施例と同様に挿入検知片と挿入検知孔を設けることができる。
【００４１】
【発明の効果】
以上説明したように、本発明によれば次の効果が得られる。
端子係止具にカムピンを設け、コネクタハウジングの後端部より先端が傾斜したスライド面またはカム溝を設けたカム棒を押込むことによってスライド面またはカム溝とカムピンが接触して端子係止具を端子の軸方向と直交する方向に移動して端子を係止するようにしたから、端子を係止するまでにカム棒を押込む距離（挿入ストローク）が大となり、目視確認が容易であり、従って端子の係止状態の良否を容易に判断することができ、係止不良や係止忘れを防止することができる（請求項１，７）。
【００４２】
請求項２の発明によれば、コネクタハウジングと検知部材に端子係止具を前記待機位置に保持する仮ロック手段と、前記係止位置に保持する本ロック手段を設けてあるから、検知部材をコネクタハウジングに取り付けたままで端子の挿入、抜き出しが可能で取扱が便利であり、端子挿着後は本ロック手段により端子抜けを確実に防止することができる。
また、請求項３の発明によれば、検知部材のカム棒の先端に挿入検知片を設け、コネクタハウジングの前壁に挿入検知孔を設け、検知部材の前記本ロック位置において前記挿入検知片の先端部が前記挿入検知孔に進入し、外部から視認しうる構造としたから、検知部材の装着の良否、即ち端子の係止状態の良否をコネクタハウジングの前後いずれからでも判断することができる。
【００４３】
請求項４，５の発明においては、いずれもコネクタハウジングが、ハウジング本体とフロントホルダ、或いはハウジング本体，端子係止具とリヤホルダのように幾つかの部品に分割して形成されているから、コネクタハウジングの成形金型の構造が簡素化され、複雑な構造の端子収容室を有するコネクタハウジングの成形が容易となる。
この端子係止具に、請求項６の発明では、端子収容部を挟んで前記端子係止部とは反対側に端子と係合して第１の係止を行う可撓性係止腕を設けるようにしたので、上記金型がより簡素化されると共に、寸法精度を高めることができる。
【００４４】
請求項８の発明では、前記カム溝の先端を溝幅より広くしたので、カム棒を押込む前に端子係止具がどの位置にあっても、カム棒を少し押込むとカム溝とカムピンとの係合により端子係止具は常に待機位置となり、容易に端子を端子収容室に挿入することができる。
また、請求項１の発明では、検知部材をコネクタハウジングの後端部を構成するリアハウジングとして形成し、該リアハウジングにカム棒を設けたから、コネクタハウジングの部品点数の増加を押さえ、組立て工数が減少する。
さらに、前記リアハウジングのコネクタハウジングとの係止手段を前記端子係止具のロックと兼用させるようにしたので、リアハウジングの係止と同時にカム棒も係止され、コネクタの構成が簡単となる（請求項９）。
【図面の簡単な説明】
【図１】本発明の第１の実施例を示す二重係止コネクタＡの分解斜視図である。
【図２】図１の組立状態の中央縦断面図であり、（Ａ）は雌端子の二重係止前、（Ｂ）は係止後を示す。
【図３】同じく図１の端子係止具のカム棒部分の縦断面図であり、（Ａ）は係止前、（Ｂ）は係止後を示す。
【図４】図３（Ａ）のＸ−Ｘ断面図である。
【図５】端子係止具の正面図である。
【図６】本発明の第２の実施例を示す二重係止コネクタＢの分解斜視図である。
【図７】図６の端子係止具２２の正面図である。
【図８】図６の端子係止具２２による端子の二重係止状態を示す部分断面図である。
【図９】図６のコネクタＢの組立過程を示す説明図である。
【図１０】図９の次の組立過程（スライダ２４の挿入開始）を示す説明図である。
【図１１】図１０の次の組立過程（端子係止具２２の待機位置）を示す説明図である。
【図１２】図１１の次の組立過程（端子係止具２２の係止位置）を示す説明図である。
【図１３】図１０に対応する端子係止具２２の待機位置を示すコネクタＢの部分断面図である。
【図１４】図１１に対応する端子係止具２２の係止位置を示すコネクタＢの部分断面図である。
【図１５】（Ａ）は従来の二重係止コネクタの係止前の断面図、（Ｂ）は係止後の断面図である。
【符号の説明】
１              ハウジング本体
１ｆ1           本係止突起
１ｆ2           仮係止突起
３              フロントホルダ
３ｃ            端子収容部
３ｅ            挿入検知孔
４，２２        端子係止具
５，２９        カムピン
６，３１        係止突起
８，２４        （検知部材としての）スライダ
９，３７        カム棒
９ａ            挿入検知片
１０，３８      カム溝
１０ａ，３８ａ  （カム溝の）導入部
１２            雌端子
１４            肩部
１６            ロッキングアーム
１６ａ          係止孔
１７，２５      端子収容室
１８，３０      可撓性係止腕
１９            貫通孔
２３            リヤホルダ
２６            空室
２８            係止突起
３９            係止窓
【図１】
0003765510.tif 000002
【図２】
0003765510.tif 000003
【図３】
0003765510.tif 000004
【図４】
0003765510.tif 000005
【図５】
0003765510.tif 000006
【図６】
0003765510.tif 000007
【図７】
0003765510.tif 000008
【図８】
0003765510.tif 000009
【図９】
0003765510.tif 000010
【図１０】
0003765510.tif 000011
【図１１】
0003765510.tif 000012
【図１２】
0003765510.tif 000013
【図１３】
0003765510.tif 000014
【図１４】
0003765510.tif 000015
【図１５】
0003765510.tif 000016